(57)【要約】【課題】画像表示装置を変位させた時に付属機器との当接を回避する画像表示装置を提供する。【解決手段】対象となる本体に対して回動可能な画像表示装置４０であって、平板部４２ｂと、上記平板部に対して平行な方向に直進案内される被直進案内部材４３と、を少なくとも有する揺動部４２と、上記揺動部が回動する回動軸６２から離間する方向であって上記平板部に平行に沿う方向に向かって、当該平板部に対して上記被直進案内部材４３を付勢する付勢部材４４と、上記本体に対して回動した回動位置から上記本体に収納保持される収納位置へ上記揺動部を回動させる際に、上記付勢部材に抗して上記被直進案内部材４３を上記平板部に沿って移動させるカム手段４５，４６と、を具備する。【選択図】図４
2019032549.tif 000002
【特許請求の範囲】
【請求項１】
対象となる本体に対して回動可能な画像表示装置であって、
平板部と、上記平板部に対して平行な方向に直進案内される被直進案内部材と、を少なくとも有する揺動部と、
上記揺動部が回動する回動軸から離間する方向であって上記平板部に平行に沿う方向に向かって、当該平板部に対して上記被直進案内部材を付勢する付勢部材と、
上記本体に対して回動した回動位置から上記本体に収納保持される収納位置へ上記揺動部を回動させる際に、上記付勢部材に抗して上記被直進案内部材を上記平板部に沿って移動させるカム手段と、
を具備したことを特徴とする画像表示装置。
【請求項２】
上記揺動部は、
一端が上記平板部と回動自在に連結されるとともに他端が上記本体に対して回動自在に連結され、上記本体に対して非平行状態から平行状態へと回動する回動部材を、更に有し、
上記カム手段は、カム曲線を有するカム部が上記回動部材と上記被直進案内部材のうちの一方に設けられ、上記カム部と摺接するカムピンが上記回動部材と上記被直進案内部材の他方に設けられている
ことを特徴とする請求項１に記載の画像表示装置。
【請求項３】
上記揺動部が上記回動部材に対して非平行状態から上記平行状態へと回動する際、上記カム部と摺接する上記カムピンを含むカム手段は、上記回動部材の回動位置にかかわらず、上記被直進案内部材を上記平板部に沿って移動させてから上記回動部材と平行となる
ことを特徴とする請求項２記載の画像表示装置。
【請求項４】
上記揺動部が上記回動部と平行となった際、上記カム手段は上記付勢部材に抗して上記被直進案内部材を移動させるまで当該被直進案内部材を当該回動部に対して係止する
ことを特徴とする請求項１−３のいずれか１項に記載の画像表示装置。
【請求項５】
上記平板部には、上記非直進案内部材を直進案内するための直進案内部が形成され、上記被直進案内部材には、上記平板部をガイドするレールが形成されている
ことを特徴とする請求項１または２に記載の画像表示装置
【請求項６】
上記対象となる本体は、付属機器が装着可能な撮像装置であって、
上記揺動部が上記回動部材に対して非平行状態から上記平行状態へと回動する際、上記被直進案内部材が当該揺動部を構成する上記平面部に対してスライドすることにより上記付属機器との当接を回避する
ことを特徴とした請求項２または３に記載の画像表示装置。
【発明の詳細な説明】
【技術分野】
【０００１】
この発明は、可動式の画像表示装置に関するものである。
【背景技術】
【０００２】
従来、撮像光学系により結像された光学像を、撮像素子を用いて順次光電変換し、これにより取得された画像信号を所定の形態のデジタル画像データとして記憶媒体に記憶すると共に、当該デジタル画像データに基いて静止画像又は動画像を表示する画像表示部材（表示パネル）を具備した画像表示装置等を備えて構成されるデジタルカメラやビデオカメラ等の撮像装置が一般に実用化され広く普及している。
【０００３】
この種の撮像装置に適用される画像表示装置としては、例えば装置の背面側に配置され、表示パネルの表示面が外方に向けて露呈するように配設されていると共に、使用者（ユーザ）の操作に応じて表示パネルの表示面の向きを変更させ得る可動機構を備えたもの（以下、可動式の画像表示装置という）が、例えば特開２００７−２８６１７７号公報等によって種々開示されており一般に普及している。
【０００４】
一方、従来の撮像装置においては、例えば装置の上面側にアクセサリ機器取付部（いわゆるアクセサリシュー又はホットシュー等と呼ばれる部位）を具備し、このアクセサリ機器取付部に、装置本体とは別体に形成された様々な形態のアクセサリ機器（付属機器）を装着することによって、装置本体の機能を拡張し得るように構成されたものが実用化されている。
【０００５】
そして、従来の撮像装置等においては、装置背面側に可動式の画像表示装置を具備すると共に、アクセサリ機器取付部を有し、各種のアクセサリ機器を着脱して利用するように構成された撮像装置が広く普及している。
【０００６】
従来のこの種の撮像装置においては、アクセサリ機器取付部にアクセサリ機器を装着したときに、当該アクセサリ機器の一部分が、装置背面側に回り込んだ位置にまで配置されているものがある。このような形態のものでは、当該アクセサリ機器の一部位が可動式の画像表示装置の可動範囲内に配置されてしまうものもある。すると、この場合、撮像装置にアクセサリ機器を装着した状態で、可動式の画像表示装置を動かしたとき、上記アクセサリ機器の一部位に可動式の画像表示装置の一部が当接（干渉）して、当該可動式の画像表示装置の動きを阻害してしまう場合がある。
【０００７】
このようなことを考慮して、従来のこの種の撮像装置においては、アクセサリ機器取付部に装着されたアクセサリ機器が画像表示装置の可動範囲内で当接（干渉）しないようにする工夫が種々なされている。
【０００８】
例えば、撮像装置のアクセサリ装着部と画像表示装置との配置を工夫し、両者間の間隔を充分に確保してレイアウトしたり、アクセサリ機器の一部若しくは画像表示装置の一部を切り欠いた形態とする等の工夫が考えられている。
【先行技術文献】
【特許文献】
【０００９】
【特許文献１】特開２００７−２８６１７７号公報
【発明の概要】
【発明が解決しようとする課題】
【００１０】
ところが、上記従来の撮像装置において、例えばアクセサリ装着部と画像表示装置とを離間するように配置する工夫では、装置自体が大型化してしまうという問題点がある。また、アクセサリ機器の一部や画像表示装置の一部を切り欠いた形態とする手段では、アクセサリ機器の形状が規制されたり、より大きな表示面を有する画像表示装置を適用することが規制されてしまうという問題点がある。
【００１１】
本発明は、上述した点に鑑みてなされたものであって、その目的とするところは、可動式の画像表示装置を変位させたとき、画像表示装置の一部とアクセサリ機器の一部との当接（干渉）を回避する機構を備えた画像表示装置を提供することである。
【課題を解決するための手段】
【００１２】
上記目的を達成するために、本発明の一態様の画像表示装置は、対象となる本体に対して回動可能な画像表示装置であって、平板部と、上記平板部に対して平行な方向に直進案内される被直進案内部材と、を少なくとも有する揺動部と、上記揺動部が回動する回動軸から離間する方向であって上記平板部に平行に沿う方向に向かって、当該平板部に対して上記被直進案内部材を付勢する付勢部材と、上記本体に対して回動した回動位置から上記本体に収納保持される収納位置へ上記揺動部を回動させる際に、上記付勢部材に抗して上記被直進案内部材を上記平板部に沿って移動させるカム手段と、を具備する。
【発明の効果】
【００１３】
本発明によれば、可動式の画像表示装置を変位させたとき、画像表示装置の一部とアクセサリ機器の一部との当接（干渉）を回避する機構を備えた画像表示装置を提供することができる。
【図面の簡単な説明】
【００１４】
【図１】本発明の第１の実施形態の画像表示装置を備えた撮像装置を示す背面斜視図
【図２】図１の撮像装置にアクセサリ機器を取り付けた状態の正面図
【図３】図２の状態の撮像装置の右側面図
【図４】本発明の第１の実施形態の画像表示装置における表示パネル支持ユニットの分解斜視図
【図５】図４の表示パネル支持ユニットの組み立て状態を示し、表示パネル支持ユニットを若干開いた状態で左寄りの後方からみた斜視図
【図６】図４の表示パネル支持ユニットの組み立て状態を示し、表示パネル支持ユニットを若干開いた状態を上方寄りの右側方からみた斜視図
【図７】図４の表示パネル支持ユニットの組み立て状態を示し、表示パネル支持ユニットの半開状態を上方寄りの右側方からみた斜視図
【図８】図４の表示パネル支持ユニットにおいて、第１の揺動部材に対して第２の揺動部材及び被直進案内部材が平行状態にあって、ストッパ部材とストッパ部とが離間している状態を示す縦断面図
【図９】図４の表示パネル支持ユニットにおいて、第１の揺動部材に対して第２の揺動部材及び被直進案内部材が平行状態にあって、ストッパ部材とストッパ部とが当接している状態を示す縦断面図
【図１０】本発明の第１の実施形態の作用を示し、可動式の画像表示装置を備えた撮像装置のアクセサリ機器取付部にアクセサリ機器（付属機器）が装着され、かつ画像表示装置が本体の背面側の平面部に対して平行な通常状態にある状態において一部（カム手段近傍）を断面で表す側面図
【図１１】図１０の状態から画像表示装置が本体の背面側の平面部に対して非平行な状態に移行している途中状態を示し、画像表示装置の一部が閃光発光装置の一部に当接するのを回避しつつある様子を示すアクセサリ機器付き撮像装置の側面図
【図１２】図１１の状態からさらに画像表示装置の非平行状態への移行が進み、画像表示装置の一部の閃光発光装置の一部に対する移動量を最大としときの状態を示すアクセサリ機器付き撮像装置の側面図
【図１３】図１２の状態からさらに画像表示装置の非平行状態への移行が進み、画像表示装置の変位がフリー状態になった際の様子を示すアクセサリ機器付き撮像装置の側面図
【図１４】本発明の第２の実施形態の画像表示装置における表示パネル支持ユニットの組み立て状態を示し、表示パネル支持ユニットを若干開いた状態で左寄りの後方からみた斜視図
【図１５】図１４の表示パネル支持ユニットにおいて、カム手段の部材配置を明示する斜視図
【発明を実施するための形態】
【００１５】
以下、図示の実施の形態によって本発明を説明する。本発明の各実施形態は、例えば撮像光学系により結像された光学像を、例えばＣＣＤ（Ｃharge Ｃoupled Ｄevice；電荷結合素子）イメージセンサーやＣＭＯＳ（Ｃomplementary Ｍetal Ｏxide Ｓemiconductor；相補性金属酸化膜半導体）型イメージセンサー等の光電変換素子等（以下、撮像素子という）を用いて順次光電変換し、これにより得られた画像信号を所定の形態の画像データ（例えば静止画像又は動画像を表わすデジタル画像データ）として記憶媒体に記憶すると共に、この記憶媒体に記憶されたデジタル画像データに基いて静止画像又は動画像を表示する表示パネル、例えば液晶表示ディスプレイ（Liquid Crystal Display；ＬＣＤ）や有機エレクトロルミネッセンス（有機ＥＬ；Organic Electro-Luminescence：ＯＥＬ）ディスプレイ等の表示パネルを有し、この表示パネルを保持すると共に使用者（ユーザ）の操作に応じて上記表示パネルの表示面の向きを変更させ得る可動機構を備えた可動式の画像表示装置を具備してなる撮像装置、例えばデジタルカメラやビデオカメラ等（以下、単にカメラという）を例示するものである。
【００１６】
なお、以下の説明に用いる各図面は模式的に示すものであり、各構成要素を図面上で認識可能な程度に示すために、各部材の寸法関係や縮尺等を各構成要素毎に異ならせて示している場合がある。したがって、本発明は、これら各図面に記載された構成要素の数量，構成要素の形状，構成要素の大きさの比率，各構成要素の相対的な位置関係等に関し、図示の形態のみに限定されるものではない。
【００１７】
また、以下の各実施形態において、カメラの使用時に被写体に対向する面をカメラの前面というものとする。また、カメラの使用時に使用者が対面する面をカメラの背面というものとする。そして、当該カメラに設けられる複数の操作部材のうちシャッターレリーズボタンが配設されている面を上面というものとする。一方、カメラの上面に対向する面を底面というものとする。さらに、カメラの通常の使用状態で両側に配置される面を左側面及び右側面というものとする。この場合における左右の判別は、被写体側からカメラの前面に向かって見たときの左側と右側とをそれぞれ左，右として区別する。
【００１８】
そして、各実施形態においては、カメラの前面に対向する被写体の側をカメラの前方というものとし、カメラの背面側に配置される画像表示装置に対向する使用者（ユーザ）の側をカメラの後方というものとする。
【００１９】
また、撮像光学系の光軸に平行な軸をＺ軸とし、このＺ軸にそれぞれ直交し、かつ互いに直交する二軸のうちカメラの前面に向かって左右方向の軸をＸ軸、上下方向の軸をＹ軸というものとする。
【００２０】
［第１の実施形態］
図１は本発明の第１の実施形態の画像表示装置を備えた撮像装置を示す背面斜視図である。図２は図１の撮像装置にアクセサリ機器を取り付けた状態の正面図である。図３は図２の状態の撮像装置の右側面図である。図４〜図９は本実施形態の画像表示装置における表示パネル支持ユニットを示す図である。このうち図４は表示パネル支持ユニットの分解斜視図である。図５〜図７は表示パネル支持ユニットの組み立て状態を示す斜視図である。このうち図５は表示パネル支持ユニットを若干開いた状態で左寄りの後方からみた斜視図である。図６は表示パネル支持ユニットを若干開いた状態を上方寄りの右側方からみた斜視図である。図７は表示パネル支持ユニットの半開状態を上方寄りの右側方からみた斜視図である。図８，図９は表示パネル支持ユニットの縦断面図である。このうち図８は、表示パネル支持ユニットにおいて、第１の揺動部材に対して第２の揺動部材及び被直進案内部材が平行状態にあって、ストッパ部材とストッパ部とが離間している状態を示す縦断面図である。図９は、表示パネル支持ユニットにおいて、第１の揺動部材に対して第２の揺動部材及び被直進案内部材が平行状態にあって、ストッパ部材とストッパ部とが当接している状態を示す縦断面図である。
【００２１】
まず、本実施形態の画像表示装置を備えた撮像装置の概略構成について、図１，図２を用いて以下に説明する。
【００２２】
本実施形態の撮像装置であるカメラ１は、撮影光学系を備えたレンズ鏡筒（不図示）を着脱自在とするレンズ交換式の撮像装置である。本実施形態においては、図面の煩雑化を避けるために、上記レンズ鏡筒の図示は省略している。
【００２３】
本実施形態のカメラ１は、本体１０と、この本体１０の前面に装着されるレンズ鏡筒（不図示）と、背面部の平面部に配置され同平面部に対して平行状態と非平行状態とに揺動可能な画像表示装置等によって主に構成される。
【００２４】
上記本体１０の前面の略中央部分には、図２に示すようにカメラマウント２２が配設されている。このカメラマウント２２は、不図示のレンズ鏡筒を連結し、固定保持する構成部材である。
【００２５】
上記本体１０の前面の左寄りの部位には、グリップ部２４が配設されている。このグリップ部２４は、使用者（ユーザ）がカメラ１の本体１０を把持する際の右手側の指かかり部位となっている。
【００２６】
上記本体１０の背面には、図１に示すように、その大部分の領域を覆うように画像表示装置が配設されている。この画像表示装置は、画像表示部材である表示パネル２１と、この表示パネル２１を保持する表示パネル支持ユニット４０（詳細構成は後述する）とを有して構成されている。
【００２７】
画像表示装置は、上記表示パネル支持ユニット４０によって上記本体１０の所定の位置に収納保持された収納状態と、表示パネル２１の表示面の向き（表示アングル）を所定の範囲内で自在に変更し得る状態との間で変位可能となるように、本体１０に対して保持されている可動式の画像表示装置である。なお、表示パネル支持ユニット４０の詳細構成は後述する（図４等参照）。また、上記画像表示装置は、表示パネル２１の表示面が本体１０の背面と略平行となるように配設されている状態を通常状態というものとする。
【００２８】
上記本体１０の上面，背面，前面には、例えば押しボタン式，回転ダイヤル式，スライド式等の各種の操作形態からなる複数の操作部材が配設されている。具体的には、例えば本体１０の上面には、シャッタリリースボタン１１，電源オンオフボタン１２等の押しボタン式操作部材や、コマンドダイヤル１３，モード切換ダイヤル１４等の回転ダイヤル式操作部材が配設されている。また、本体１０の背面には、コントロールダイヤル十字ボタン１５，複数のプッシュボタン１６，１７，１８等が配設されている。そして、本体１０の前面には、レンズリリースボタン２３等の操作部材が配設されている。
【００２９】
上記本体１０の上面の略中央部分には、アクセサリ機器取付部１９が配設されている。このアクセサリ機器取付部１９は、いわゆるアクセサリシュー又はホットシュー等と呼ばれる部位である。即ち、アクセサリ機器取付部１９には、本体１０とは別体に構成される様々な形態のアクセサリ機器（付属機器）を着脱自在とする部位である。このアクセサリ機器取付部１９に各種のアクセサリ機器を装着することによって、カメラ１の機能を拡張することができるように構成されている。
【００３０】
なお、アクセサリ機器取付部１９に装着されるアクセサリ機器としては、例えば閃光発光装置（フラッシュ装置），照明用光源（ＬＥＤ照明装置），電子ビューファインダー装置（ＥＶＦ装置），マイクロフォン，無線通信ユニット等がある。なお、上記アクセサリ機器についての図示は、図１では省略しているが、図２，図３においては、アクセサリ機器取付部１９に閃光発光装置３１を装着した例を示している。
【００３１】
上記アクセサリ機器取付部１９の内部には、電気接点1９ａが設けられている。この電気接点１９ａは、アクセサリ機器取付部１９にアクセサリ機器が取り付けられたとき、両者間の電気的な接続を確保するための接点端子である。また、この電気接点１９ａとは別に、上記アクセサリ機器取付部１９の近傍、例えば背面側の部位には、同様にアクセサリ機器との電気的接続を確保するための別の接続部であり、凹形状に形成され内部に複数の電気接点部を備えたアクセサリポート２０が設けられている。したがって、アクセサリ機器をアクセサリ機器取付部１９に装着するとき、アクセサリポート２０に対する接続をも同時に確保する形態になるものがある。このような形態のアクセサリ機器の一例として、例えば図３に示す閃光発光装置３１を示している。
【００３２】
この閃光発光装置３１を本体１０のアクセサリ機器取付部１９に対して取り付ける際には、本体１０の背面側後方から前方に向けてスライドさせる操作が行われる。このとき同時に、閃光発光装置３１の所定の部位が、背面側のアクセサリポート２０に接続される構成となっている。そのために、アクセサリ機器側、即ち閃光発光装置３１の側には、上記アクセサリポート２０の凹状部に対向する部位に、複数の接点部を備えた凸状部が配設されている（不図示）。
【００３３】
そして、上記凸状部が配設されている部位を含む閃光発光装置３１の一部位３１ａ（図３参照）は、アクセサリ機器取付部１９に閃光発光装置３１が装着され、同時にアクセサリポート２０との接続が確保された状態となったとき、上記アクセサリポート２０を覆うように形成されている。このとき、アクセサリ機器の形態によっては、当該アクセサリ機器の一部が上記アクセサリポート２０を覆うと同時に、上記画像表示装置の表示パネル２１の一部（図３の符号２１ａで示す部位）をも覆う位置に配設されるものがある。
【００３４】
上述したように画像表示装置は、表示パネル支持ユニット４０が変位することによって、表示パネル２１の表示面の向き（表示アングル）を所定の範囲内で変更し得るように構成されている。具体的には、例えば図３に示すように、画像表示装置は、Ｘ軸と平行な回動軸６２を中心として矢印Ｒ１方向に回転することで、本体１０の背面に平行に配設されていた表示面を傾斜させて、下方からも観察しやすいような表示アングルとすることができる。この場合において、上記画像表示装置の表示パネル２１が回動軸６２を回転中心として矢印Ｒ１方向に回転すると、上記表示パネル２１の一部位２１ａが上記閃光発光装置３１の一部位３１ａに当接してしまう可能性がある。
【００３５】
そこで、本実施形態のカメラ１においては、表示パネル支持ユニット４０の構成を工夫することによって、上記画像表示装置の表示パネル２１が回動軸６２を回転中心として矢印Ｒ１方向に回転するとき、上記画像表示装置の表示パネル２１の一部位２１ａが上記閃光発光装置３１の一部位３１ａに当接するのを回避するように構成されている。
【００３６】
ここで、本実施形態のカメラ１における表示パネル支持ユニット４０の詳細構成を、図４〜図９を用いて以下に説明する。
【００３７】
本実施形態のカメラ１における表示パネル支持ユニット４０は、上述したように、表示パネル２１を保持する構成ユニットである。表示パネル支持ユニット４０は、本体１０の背面側における所定の位置に表示パネル２１を収納保持する一方、表示パネル２１の表示面の向き（表示アングル）を所定の範囲内で変更し得るように構成されている。
【００３８】
そのために、表示パネル支持ユニット４０は、固定軸部材４１ａと、第１の揺動部材４１と、第２の揺動部材４２と、被直進案内部材４３と、付勢部材４４と、カム手段（４５，４６）等によって主に構成されている。
【００３９】
固定軸部材４１ａは、本体１０に対して当該表示パネル支持ユニット４０を固定すると共に、第１の揺動部材４１を揺動自在に軸支する構成部材である。この固定軸部材４１ａは、例えば平板状の金属部材を折り曲げ加工して形成されている。固定軸部材４１ａは、本体１０の背面側の平面部（不図示）、即ち表示パネル２１（画像表示部材）が配置収納される部位にビス等を用いて固定されている。また、固定軸部材４１ａは、本体１０の平面部に対して平行となる第１の回動軸６１を有している。この第１の回動軸６１は、第１の揺動部材４１を揺動自在に支持する回動軸である。つまり、固定軸部材４１ａは、第１の回動軸６１において第１の揺動部材４１と連結されており、当該第１の揺動部材４１は上記第１の回動軸６１周りに揺動自在に軸支されている。
【００４０】
第１の揺動部材４１は、上記固定軸部材４１ａと同様に、例えば平板状の金属部材を折り曲げ加工して形成され、本体１０の背面側の平面部（不図示）に対し平行な第１の平板部４１ｂと、この第１の平板部４１ｂに対して略直交方向に折り曲げて形成した側壁部４１ｄを有している。ここで、側壁部４１ｄは、上記第１の平板部４１ｂにおいて対向する二辺のうち第１の回動軸６１に対して直交する二辺のそれぞれに形成されている。また、第１の平板部４１ｂは、当該表示パネル支持ユニット４０が本体１０の背面側の平面部（不図示）に対して平行な通常状態にあるとき、本体１０の背面側の平面部（不図示）に対して平行状態で配設される。また、第１の揺動部材４１が第１の回動軸６１を回転中心として揺動したとき、第１の平板部４１ｂは、本体１０の背面側の平面部（不図示）に対して非平行状態に配設される。
【００４１】
なお、本画像表示装置において、表示パネル支持ユニット４０が通常状態にあるときとは、表示パネル２１（画像表示部材）を図３に示す所定の位置に配置収納する収納状態を指す（以下同様）。このとき、表示パネル支持ユニット４０は、本体１０の背面側の平面部（不図示）に対して平行状態にある。
【００４２】
そして、第１の揺動部材４１は、第１の回動軸６１と平行で、第１の回動軸６１から離間した位置に設けられ、第２の揺動部材４２を揺動自在に軸支する回動軸である第２の回動軸６２を有している。つまり、第１の揺動部材４１と第２の揺動部材４２とは、第２の回動軸６２において連結されており、両者（第１の揺動部材４１，第２の揺動部材４２）は、第２の回動軸６２周りに相対的に揺動自在に軸支されている。
【００４３】
第２の揺動部材４２は、上記固定軸部材４１ａ，第１の揺動部材４１と同様に、例えば平板状の金属部材を折り曲げ加工して形成され、上記第１の平板部４１ｂに対し平行な第２の平板部４２ｂを有している。この第２の平板部４２ｂは、当該表示パネル支持ユニット４０が通常状態にあるとき、上記第１の平板部４１ｂに対して平行状態で配設される。また、第２の揺動部材４２が第２の回動軸６２を回転中心として揺動したとき、第２の平板部４２ｂは、上記第１の平板部４１ｂに対して非平行状態に配設される。
【００４４】
また、第２の揺動部材４２の第２の平板部４２ｂは、他の部材である被直進案内部材４３を第２の平板部４２ｂと平行な方向、即ち第２の揺動部材４２が揺動する際の揺動の径方向に向けて直進案内するための直進案内部４２ａを有している。この直進案内部４２ａは、例えば第２の揺動部材４２の第２の平板部４２ｂにおいて、第２の回動軸６２に対して直交する方向に伸びる両側縁部が相当する。
【００４５】
被直進案内部材４３は、上記固定軸部材４１ａ，第１の揺動部材４１，第２の揺動部材４２と同様に、例えば平板状の金属部材を折り曲げ加工して形成され、画像表示部材である表示パネル２１を保持する構成部材である。被直進案内部材４３は、上記第２の揺動部材４２の直進案内部４２ａに対応する両側縁部位に、断面が略チャンネル形状（コの字形状）に形成され、直進案内部４２ａを摺動自在に保持するレール部４３ａを有して形成されている。これにより被直進案内部材４３は直進案内部４２ａに沿って直進案内されている。
【００４６】
付勢部材４４は、第２の揺動部材４２と被直進案内部材４３との間に設けられ、第２の揺動部材４２に対して被直進案内部材４３を直進案内部４２ａに沿う方向であって、第２の回動軸６２の中心から離間する方向（図４の矢印Ｙ１方向）に向けて常に付勢力を与えている部材である。この付勢部材４４としては、例えばトーションばね（ねじりばね）等が適用される。そのために、付勢部材４４の一腕４４ａの先端は円弧状に曲げられ被直進案内部材４３の一面に設けられたピン５１に回転可能に軸支されており、同付勢部材４４の他腕４４ｂ先端は円弧状に曲げられ平板部４２ｂに設けられたピン５２に回転可能に軸支され、イーリング５３によりピン５２からの脱落が防止されている。したがって、この構成により、第２の揺動部材４２と被直進案内部材４３とは連結された状態とされるので、被直進案内部材４３は、第２の揺動部材４２から離脱してしまうことなく、付勢部材４４の可動範囲内で第２の揺動部材４２に対して所定の方向（付勢方向）に直進移動が可能となっている。つまり、付勢部材４４は、被直進案内部材４３を矢印Ｙ１方向へ付勢していると共に、被直進案内部材４３の矢印Ｙ１方向における移動を規制する役目もしている。
【００４７】
カム手段は、第２の揺動部材４２が第１の揺動部材４１に対して平行状態から非平行状態へと移行するときに、被直進案内部材４３を付勢部材４４の付勢力に抗して第２の回動軸６２の方向（図４の矢印Ｙ２方向）へ変位させることによって、アクセサリ機器（付属機器）の一種である閃光発光装置３１の一部との当接（干渉）を回避するために設けられている構成部である。このカム手段は、第１の揺動部材４１に固設されるカムフォロアであるカムピン４５と、被直進案内部材４３に固設されるカム板４６とによって構成されている。なお、本実施形態におけるカム手段としては、図４〜図７等に示すように、カムピン４５は第１の揺動部材４１の両側面部にそれぞれ設け、カム板４６は被直進案内部材４３の両側面部にそれぞれ設けた構成としている。
【００４８】
上記カム手段の一部を構成するカムピン４５は、カム板４６のカム曲線に当接して摺接する棒状部材からなるフォロア部材である。このカムピン４５は、第１の揺動部材４１の両側壁部４１ｄのそれぞれに穿設された孔４１ｃに対して嵌入配置されている。ここで、各カムピン４５は、２つの回動軸（６１，６２）に沿う方向であって、それぞれが対向するように第１の揺動部材４１の外側に向けて突出するように、各側壁部４１ｄに固設されている。
【００４９】
一方、上記カム手段の一部を構成するカム板４６は、周縁部に所定のカム曲線を有する平板状の部材によって形成されたカム部材である。このカム板４６は、被直進案内部材４３のレール部４３ａの下端と第２の回動軸６２との間において、被直進案内部材４３の両側面部に設けられた取付片４３ｅに穿設されたネジ穴４３ｂに対しビス５４によって固設されている。ここで、各カム板４６は、カム曲線が形成されているカム面４６ａ（図４参照）が２つの回動軸（６１，６２）に直交する方向を向くように固設されている。
【００５０】
カム面４６ａには、ピン係止部４６ａａ，押下斜面４６ａｂ，頂点４６ａｃ，摺動開放斜面４６ａｄが形成されている（図１０〜図１３参照）。これらカム面４６ａの各部位の構成については、後述するカム手段の作用を説明する際に詳述する。
【００５１】
なお、被直進案内部材４３には、図６，図７に示すように、第２の揺動部材４２の第２の平板部４２ｂと対向する被直進案内部材４３側の面であって、第２の回動軸６２寄りの部位に２個のストッパ部材４３ｃが、上記被直進案内部材４３の面から直交方向に突出して配設されている。このストッパ部材４３ｃは、被直進案内部材４３が第２の揺動部材４２に沿って図６，図７に示す矢印Ｙ１方向に移動するとき、第２の揺動部材４２の第２の平板部４２ｂにおける第２の回動軸６２寄りの一側縁部に形成されるストッパ部４２ｄに当接することによって、被直進案内部材４３の矢印Ｙ１方向の移動が規制されるようになっている。
【００５２】
ここで、図６は、ストッパ部材４３ｃとストッパ部４２ｄとの間に隙間Ｄが存在している状態を示している。図８も同様。ただし、図６は第１の揺動部材４１に対して第２の揺動部材４２，被直進案内部材４３が非平行状態にある場合を示し、図８は第１の揺動部材４１に対して第２の揺動部材４２，被直進案内部材４３が平行状態にある場合を示している。
【００５３】
この状態から被直進案内部材４３が第２の揺動部材４２に対して同図６の矢印Ｙ１方向に移動するときの移動量は、ストッパ部材４３ｃとストッパ部４２ｄとが当接するまで、即ち上記隙間Ｄの距離に相当する。
【００５４】
そして、図７は、ストッパ部材４３ｃとストッパ部４２ｄとが当接している状態を示している。図９も同様。ただし、図７は第１の揺動部材４１に対して第２の揺動部材４２，被直進案内部材４３が非平行状態にある場合を示し、図９は第１の揺動部材４１に対して第２の揺動部材４２，被直進案内部材４３が平行状態にある場合を示している。
【００５５】
この状態においては、ストッパ部材４３ｃが被直進案内部材４３の図６の矢印Ｙ１方向への移動を規制している。
【００５６】
さらに、図７，図９の状態にあるときには、第２の揺動部材４２に対して被直進案内部材４３は、直進案内部４２ａに対してレール部４３ａが摺動自在に支持されているのみである。したがって、この状態にあるとき、例えば被直進案内部材４３に対して第２の回動軸６２周り（図７，図９の矢印Ｒ１方向）の力量が加わったとすると、被直進案内部材４３が同方向に撓んでしまう可能性がある。そこで、そのような被直進案内部材４３の撓みを抑止するために、被直進案内部材４３には、当該被直進案内部材４３に第２の回動軸６２周り（図７の矢印Ｒ１方向）の力量が加わったときに、第２の揺動部材４２の下端面４２ｃ（図７，図９参照）に当接する回転ストッパ部材４３ｄが設けられている。その他の構成は、従来の撮像装置等における画像表示装置の表示パネル支持ユニットと同様の構成を有するものとする。
【００５７】
このように構成された本実施形態の画像表示装置を備えたカメラ１の作用を、図１０〜図１３を用いて以下に説明する。
【００５８】
なお、以下に説明するカメラ１の作用は、可動式の画像表示装置を備えたカメラ１において、アクセサリ機器取付部１９に閃光発光装置３１を装着した状態であって、かつ画像表示装置が本体１０の背面側の平面部に対して平行な通常状態にある収納状態から、同画像表示装置を非平行状態へと移動させる際の作用である。
【００５９】
まず、図１０に示すように、本実施形態のカメラ１、即ち可動式の画像表示装置を備えたカメラ１には、アクセサリ機器取付部１９にアクセサリ機器（付属機器）としての閃光発光装置３１が装着されている。また、カメラ１は、背面側に配設されている画像表示装置が、本体１０の背面側の平面部に対して平行な通常状態にある。
【００６０】
この状態においては、カム手段におけるカムピン４５は、カム板４６のカム曲線上の所定の部位、即ち図１０に示すようにピン係止部４６ａａにおいて係止されている。この状態では、カム板４６を固定している被直進案内部材４３には、付勢部材４４の付勢力が矢印Ｙ１方向に働いている。しかしながら、上述したように、カム板４６のピン係止部４６ａａがカムピン４５によって係止されていることによって、被直進案内部材４３は付勢部材４４の付勢力に抗して静止状態が保持されている。即ち、ピン係止部４６ａａは、被直進案内部材４３の移動方向に略直交するような面形状となっている。
【００６１】
図１０に示す状態にある画像表示装置を、使用者（ユーザ）が手指等によって、同図矢印Ｒ１方向に向けて第２の回動軸６２周りに引き出すように回動させる操作を行う。すると、図１１に示すように、画像表示装置（表示パネル２１）は第２の回動軸６２周りに矢印Ｒ１方向への回動を開始する。これと同時に、カム板４６はピン係止部４６ａａから続いて形成されたカム曲線上の押下斜面４６ａｂがカムピン４５と摺動しながら矢印Ｙ２方向に移動する。即ち、カム板４６はピン係止部４６ａａから、被直進案内部４３のＹ１方向への移動方向へ山型に盛り上がった形状を有し、押下斜面４６ａｂはその山型の一方の斜面を形成している。これによって、カム板４６を固定している被直進案内部材４３は、付勢部材４４の付勢力に抗して、図１１の矢印Ｙ２方向に移動を開始する。したがって、図１１の矢印Ａで示す部位においては、画像表示装置（表示パネル２１）の一部と閃光発光装置３１の一部との当接（干渉）が回避される。そして、画像表示装置（表示パネル２１）の第２の回動軸６２周りにおける矢印Ｒ１方向への回動を支障なく継続させ得る。
【００６２】
画像表示装置（表示パネル２１）の第２の回動軸６２周りの矢印Ｒ１方向への回動が継続すると、やがて、図１２に示すように、カム板４６の押下斜面４６ａｂから続いて形成されたカム曲線上の頂点４６ａｃにカムピン４５が到達する。
【００６３】
続いて、この頂点４６ａｃをカムピン４５が通過した後、図１３に示すように、頂点４６ａｃから続いて形成され、上記山型形状の他方の斜面である摺動開放斜面４６ａｄとカムピン４５とが摺動する状態に移行すると、カム板４６を固定している被直進案内部材４３は、付勢部材４４の付勢力によって矢印Ｙ１方向への移動を開始する。このとき、カム板４６は、カム曲線上の摺動開放斜面４６ａｄがカムピン４５と摺動しつつ同方向へ移動している。
【００６４】
そうして、被直進案内部材４３の図１３における矢印Ｙ１方向への移動は、ストッパ部材４３ｃが第２の揺動部材４２のストッパ部４２ｄに当接することで規制される（図７，図９の状態）。
【００６５】
この非平行状態（図１３の状態）から、画像表示装置を平行状態（図１０の状態）へと移行させる際には、まず、使用者（ユーザ）は、画像表示装置（表示パネル２１）を、図１３の矢印Ｒ２方向へ第２の回動軸６２周りに押し込むように回動させる操作を行う。すると、カム板４６は、カム曲線上の摺動開放斜面４６ａｄがカムピン４５に沿って摺動しながら移動する。これにより、カム板４６を固定している被直進案内部材４３は、付勢部材４４の付勢力に抗して矢印Ｙ２方向へと移動する。画像表示装置（表示パネル２１）の矢印Ｒ２方向への第２の回動軸６２周りの回動操作が継続されると、カムピン４５はカム板４６のカム曲線上の頂点４６ａｃに達した後（図１２の状態）、続いて押下斜面４６ａｂへと移行する（図１１参照）。すると、カム板４６を固定している被直進案内部材４３は、付勢部材４４の付勢力に抗して矢印Ｙ２方向へと移動する。これによって、画像表示装置（表示パネル２１）の一部は、閃光発光装置３１の一部に当接（干渉）することを回避しつつ、所定の収納位置、即ち本体１０の背面側の位置へと移行する。
【００６６】
さらに、画像表示装置（表示パネル２１）の矢印Ｒ２方向への第２の回動軸６２周りの回動操作が継続されると、カムピン４５はカム板４６のカム曲線上のピン係止部４６ａａに達する（図１０の状態）。これにより、画像表示装置（表示パネル２１）は、本体１０の背面側の平面部に対して平行な通常状態に復帰する。
【００６７】
以上説明したように上記第１の実施形態によれば、画像表示装置（表示パネル２１）を備えた撮像装置であるカメラ１において、付属機器でありアクセサリ機器の一種である閃光発光装置３１を装着した状態で、画像表示装置（表示パネル２１）を本体１０の背面側の平面部に対して平行な通常状態から非平行状態へと移行させる際に、画像表示装置（表示パネル２１）が所定の方向、即ち装着された閃光発光装置３１から退避する方向へと移動するように構成している。
【００６８】
したがって、この構成によって、画像表示装置（表示パネル２１）の一部が閃光発光装置３１の一部に対してカメラ１の前後方向（即ちＺ軸方向）において重なるように配置することができる。これにより、カメラ１の高さ方向（即ちＹ軸方向）の小型化に寄与することができる。
【００６９】
［第２の実施形態］
上述の第１の実施形態において、カム手段は、カムフォロアであるカムピン４５を第１の揺動部材４１に、カム板４６を被直進案内部材４３に設けた例を示している。しかしながら、本発明の形態としては、この形態に限られることはない。
【００７０】
図１４，図１５は、本発明の第２の実施形態の画像表示装置における表示パネル支持ユニットを示す図である。このうち図１４は、組み立て状態の表示パネル支持ユニットを若干開いた状態で左寄りの後方からみた斜視図である。図１５は、図１４の表示パネル支持ユニットにおいてカム手段の部材配置を明示するために、カム手段の構成部材のみを分解して示す斜視図である。
【００７１】
本実施形態の画像表示装置及びこの画像表示装置を具備する撮像装置と、この撮像装置に装着されるアクセサリ機器のそれぞれの基本的な構成は、上述の第１の実施形態と同様である。本実施形態においては、画像表示装置の表示パネル支持ユニットにおけるカム手段の構成が若干異なる。したがって、以下の説明においては、上述の第１の実施形態と同様の構成については同じ符号を付して説明を省略し、異なる部分のみを詳述する。
【００７２】
本実施形態の画像表示装置の表示パネル支持ユニット４０Ａにおけるカム手段は、上述の第１の実施形態と同様に、カムフォロアであるカムピン４５と、カム板４６とによって構成される。ここで、本実施形態においては、カムピン４５を被直進案内部材４３Ａに設け、カム板４６を第１の揺動部材４１Ａに設けて構成している。そのために、被直進案内部材４３Ａには、カムピン４５を嵌入配置するための孔４３Ａｂが両側面部の取付片４３Ａｅのそれぞれに穿設されている。なお、取付片４３Ａｅは、被直進案内部材４３Ａのレール部４３ａの下端と第２の回動軸６２との間に設けられている。そして、カムピン４５は、２つの回動軸（６１，６２）に沿う方向であって、それぞれが対向するように被直進案内部材４３Ａの外側に向けて固設されている。
【００７３】
一方、カム板４６は、第１の揺動部材４１Ａの両側壁部４１Ａｄのそれぞれに穿設されたネジ穴４１Ａｂに対して内側よりビス（不図示）によって固設されている。なお、本実施形態においては、カム板４６は、カム面の頂点４６ａｃが第２の回動軸６２寄りに配置されている。その他の構成は、上述の第１の実施形態と同様である。
【００７４】
このように構成された本実施形態においても、画像表示装置（表示パネル２１）を備えた撮像装置であるカメラ１に、付属機器でありアクセサリ機器の一種である閃光発光装置３１を装着した状態としたとき、画像表示装置（表示パネル２１）を本体１０の背面側の平面部に対して平行な通常状態から非平行状態へと移行させる際、及び同非平行状態から平行状態へと移行させる際の作用は、上述の第１の実施形態と略同様である。
【００７５】
以上説明したように上記第２の実施形態によっても、上述の第１の実施形態と同様の効果を得ることができる。
【００７６】
なお、上記各実施形態においては、画像表示装置を備えた撮像装置として、レンズ交換式の撮像装置（カメラ）を例に挙げて説明したが、本発明は、この形態の撮像装置（カメラ）のみに限られることはなく、撮影光学系を備えたレンズ鏡筒が装置本体に固定されたレンズ固定式の撮像装置（カメラ）に対しても全く同様に適用することができる。
【００７７】
本発明は上述した実施形態に限定されるものではなく、発明の主旨を逸脱しない範囲内において種々の変形や応用を実施し得ることが可能であることは勿論である。さらに、上記実施形態には、種々の段階の発明が含まれており、開示される複数の構成要件における適宜な組み合わせによって、種々の発明が抽出され得る。例えば、上記一実施形態に示される全構成要件から幾つかの構成要件が削除されても、発明が解決しようとする課題が解決でき、発明の効果が得られる場合には、この構成要件が削除された構成が発明として抽出され得る。さらに、異なる実施形態にわたる構成要素を適宜組み合わせてもよい。
【産業上の利用可能性】
【００７８】
本発明の可動式の画像表示装置は、撮像機能と画像表示機能を有する電子機器としての撮像装置（カメラ）に適用されるものに限られることはなく、撮像機能及び画像表示機能を備えたその他の形態の電子機器、例えば携帯電話，スマートフォン，電子手帳，電子辞書，携帯情報端末，パーソナルコンピュータ，タブレット型端末機器，ゲーム機器，テレビ，時計，ＧＰＳ（Global Positioning System）を利用したナビゲーション機器等、各種の撮像機能付き電子機器に対して広く適用することができる。
【００７９】
さらに、撮像素子を用いて画像データを取得し、その取得画像データに基く画像を可動式の画像表示装置を用いて表示する機能を有する電子機器、例えば望遠鏡，双眼鏡，顕微鏡等の観察用機器における画像表示装置に対しても同様に適用することができる。
【００８０】
さらに、本発明における画像表示装置は、撮像機能を省略した画像の表示に特化した形態の画像表示装置等に適用することも可能である。
【符号の説明】
【００８１】
１……カメラ，
１０……本体，
１１……シャッタリリースボタン,
１２……電源オンオフボタン，
１３……コマンドダイヤル，
１４……モード切換ダイヤル，
１５……コントロールダイヤル十字ボタン，
１６，１７，１８……プッシュボタン，
１９……アクセサリ機器取付部，
1９ａ……電気接点，
２０……アクセサリポート，
２１……表示パネル，
２２……カメラマウント，
２３……レンズリリースボタン，
２４……グリップ部，
３１……閃光発光装置，
４０，４０Ａ……表示パネル支持ユニット，
４１，４１Ａ……第１の揺動部材，
４１ａ……固定軸部材，
４１ｂ……第１の平板部，
４１ｃ……孔，
４１ｄ……側壁部，
４１Ａｂ……ネジ穴，
４１Ａｄ……両側壁部，
４２……第２の揺動部材，
４２ａ……直進案内部，
４２ｂ……第２の平板部，
４２ｃ……下端面，
４２ｄ……ストッパ部，
４３，４３Ａ……被直進案内部材，
４３ａ……レール部，
４３ｂ……ネジ穴，
４３ｃ……ストッパ部材，
４３ｄ……回転ストッパ部材，
４３ｅ……取付片，
４３Ａｂ……孔，
４３Ａｅ……取付片，
４４……付勢部材，
４４ａ……一腕，
４４ｂ……他腕，
４５……カムピン，
４６……カム板，
４６ａ……カム面，
４６ａａ……ピン係止部，
４６ａｂ……押下斜面，
４６ａｃ……頂点，
４６ａｄ……摺動開放斜面，
５１，５２……ピン，
５３……イーリング，
５４……ビス，
６１……第１の回動軸，
６２……第２の回動軸，
【図１】
2019032549.tif 000003
【図２】
2019032549.tif 000004
【図３】
2019032549.tif 000005
【図４】
2019032549.tif 000006
【図５】
2019032549.tif 000007
【図６】
2019032549.tif 000008
【図７】
2019032549.tif 000009
【図８】
2019032549.tif 000010
【図９】
2019032549.tif 000011
【図１０】
2019032549.tif 000012
【図１１】
2019032549.tif 000013
【図１２】
2019032549.tif 000014
【図１３】
2019032549.tif 000015
【図１４】
2019032549.tif 000016
【図１５】
2019032549.tif 000017